(57)【要約】本発明は、レンズ全画像フィールド適用に基づくデジタル画像レコーダーに関し、センサーは円形又は正方形である。本発明は全画像フィールド設計を採用したため、従来の収集形式と比べ、現在のレンズの画像フィールドの利用率を上昇し、映像情報の収集量が全画像フィールドの捕獲にまで達している。正方形センサーの設計はレンズの円形の全画像フィールドの外接方形であり、また、円形画像フィールドの範囲外の空白空間をデジタル補償で復元することもでき、さらに視野の範囲をぼかして拡大する。ビデオ撮影や写真撮影において、構図の効果を考慮する必要があり、かつ後処理の空間が少ないという欠点が克服される。【選択図】図１
2016535952.tif 000002
【特許請求の範囲】
【請求項１】
センサーが円形又は正方形であることを特徴とする、レンズ全画像フィールド適用に基づくデジタル画像レコーダー。
【請求項２】
前記正方形のセンサーはアダプターレンズ全画像フィールドを外接する方形であることを特徴とする、請求項１に記載のレンズ全画像フィールド適用に基づくデジタル画像レコーダー。
【請求項３】
ペンタプリズムの受光面の形状が、レンズの転送する全画像光を外接する正方形であることを特徴とする、請求項１又は２に記載のレンズ全画像フィールド適用に基づくデジタル画像レコーダー。
【請求項４】
前記外接する正方形は、画像フィールド以外の空白空間を、デジタル補償で復元することができることを特徴とする、請求項３に記載のレンズ全画像フィールド適用に基づくデジタル画像レコーダー。
【請求項５】
前記デジタル補償の復元は高次補間を利用して拡張でき、かつ、色彩伝達理論でレンダリングできることを特徴とする、請求項４に記載のレンズ全画像フィールド適用に基づくデジタル画像レコーダー。
【発明の詳細な説明】
【技術分野】
【０００１】
本発明は、デジタル画像レコーダー、具体的には、レンズ全画像フィールド適用に基づくデジタル画像レコーダーに関する。
【背景技術】
【０００２】
現在のカメラの一般的なセンサーの標準は、６４５及び１３５という基準であり、６４５のセンサーのサイズは４４ｍｍ＊３３ｍｍ；１３５のセンサーのサイズは３６ｍｍ＊２４ｍｍであり、かつ、センサーの形状は全部長方形である。既存のカメラレンズの画像フィールドは円形で、センサーはすべて円形画像フィールドに内接する長方形である。これはレンズ画像フィールドの有効映像情報を浪費することになる。撮影中は構図の効果を考慮する必要があり、カメラ使用の不便性を増加し、後処理の可能性を縮小させる。現在の映像機器及び監視測定機器も上述した欠点が存在している。
【発明の概要】
【発明が解決しようとする課題】
【０００３】
これに対して、後処理に有利な全画像フィールド情報収集のデジタル画像レコーダーの発明が必要となる。
【０００４】
本発明の目的は、後処理に有利な全画像フィールド情報収集のデジタル画像レコーダーを提供することにある。
【課題を解決するための手段】
【０００５】
上述した目的を達成するために、本発明が採用した技術方案は：
レンズ全画像フィールド適用に基づくデジタル画像レコーダーであり、センサーは円形センサー又は正方形センサーである。
【０００６】
本発明のさらなる改善として、ペンタプリズムの受光面の形状は、レンズが転送する全画像光を外接する正方形である。
【０００７】
本発明のさらなる改善として、前記正方形センサーは、アダプターレンズの全画像フィールドを外接する方形である。
【０００８】
本発明のさらなる改善として、前記外接する正方形は、全画像フィールド以外の空白空間を、デジタル補償で復元することができる。
【０００９】
本発明のさらなる改善として、前記デジタル補償の復元は、高次補間を利用して拡張でき、かつ、色彩伝達理論でレンダリングできる。
【発明の効果】
【００１０】
従来技術と比較して、本発明は有益な効果を達成した：
本発明は全画像フィールド設計を採用するため、従来の収集形式と比べ、現在のレンズの画像フィールドの利用率を上昇し、映像情報の収集量が全画像フィールドの捕獲にまで達する。その他、正方形センサーの設計はレンズの円形の全画像フィールドの外接方形であり、円形画像フィールドの範囲外の空白空間をデジタル補償で復元することもでき、さらに視野の範囲をぼかして拡大する。ビデオ撮影や写真撮影において、構図の効果を考慮する必要があり、かつ後処理の空間が少ないという欠点が克服される。
【図面の簡単な説明】
【００１１】
【図１】本発明カメラの構造の模式図。
【図２】６４５型の４４＊３３のセンサー。
【図３】６４５型の改善後の三種類の面積のセンサー。
【発明を実施するための形態】
【００１２】
以下では、１−３及び具体的な実施例を合わせて、本発明をさらに詳しく説明する。
【００１３】
実施例１
図１に示すように、レンズ全画像フィールド適用に基づくカメラである。本カメラはペンタックス６４５Ｄの改善に基づくものであり、レンズ部分、レフ板３、ペンタプリズム２、センサー１、光学式ファインダー４が含まれている。該センサー１は半径２８ｍｍの円であり、該ペンタプリズム２の受光面は改善前のペンタプリズムの受光面の面積の２．０８倍の正方形に改造し、ペンタプリズムのその他の面にも相応の変化を加えている。
【００１４】
上述方式で改善したカメラは、センサー１の有効感知面積が直接的に改善前の１．６４倍に変わる。
【００１５】
本発明はセンサー１をさらに改善することができ、辺長が５５ｍｍの正方形として、デジタルぼやけ補償技術を採用して画像フィールド円以外の空白空間を補償させることによって、実際の有効感知面積は改善前の２．０８倍となる。
【００１６】
実施例２
レンズ全画像フィールド適用に基づく改善後のニコンＤ８００カメラは、そのセンサーは半径２２ｍｍの円であり、そのペンタプリズムの受光面は改善前のペンタプリズムの受光面面積の２．１７倍の正方形である。ペンタプリズムのその他の面にも相応の変化を加えている。
【００１７】
上述した方式で改善したカメラは、センサーの有効感知面積が直接的に改善前の１．７０倍に変わる。
【００１８】
本発明はセンサーをさらに改善することができ、辺長が４３ｍｍの正方形として、デジタルぼやけ補償技術を採用して円形画像フィールド以外の空白空間を補償させることによって、実際に得た有効感知面積は改善前の２．１７倍となる。
【００１９】
実施例３
ソニーＨＤＲ−ＰＪ５１０Ｅに基づき改善したレンズ全画像フィールド適用のビデオカメラは、改善前のセンサーのサイズは１／３．９１インチであり、改善後のセンサーは半径３．２５ｍｍの円であり、有効感知面積は改善前の１．９６倍である。
【００２０】
本実施例はセンサーをさらに改善することができ、辺長が６．５ｍｍの正方形として、カメラ内に計算システムを加え、デジタルぼやけ補償技術を採用して円形画像フィールド以外の空白空間を補償させることによって、実際に得た有効感知面積は改善前の２．０９倍となる。
【００２１】
実施例４
６４５型を例として、レンズに基づく全画像フィールド適用のデジタル画像レコーダーの設計方法について詳しく説明する。
方法一：４４ｍｍ＊３３ｍｍ長方形の対角線の半分である２８ｍｍを半径として、４４ｍｍ＊３３ｍｍの外接円を得て、この外接円と同様の大きさのセンサーを設計し制作する。この場合のセンサーの感知面積は４４ｍｍ＊３３ｍｍのセンサーの１．６４倍である。ペンタプリズムの受光面を改善前のペンタプリズムの受光面面積の２．０８倍の正方形にして、ペンタプリズムのその他の面にも相応の変化を加える。
【００２２】
方法二：４４ｍｍ＊３３ｍｍ長方形の対角線の半分である２８ｍｍを半径として、４４ｍｍ＊３３ｍｍの外接円を得る。外接円の直径５５ｍｍを辺長として、外接円の外接正方形を得る。この外接正方形と同じ大きさのセンサーを設計し制作する。外接正方形が内接円を控除する部分は、デジタル補償によって、全画像フィールド映像を得るだけでなく、画像フィールド以外の景色も補償復元できる。それによって、改善後のセンサーの感知面積は４４ｍｍ＊３３ｍｍのセンサーの２．０８倍となる。ペンタプリズムの受光面は改善前の受光面面積の２．０８倍の正方形となり、ペンタプリズムのその他の面にも相応の変化を加える。
【００２３】
この方法は以下の原理に基づいて実現する：
６４５型のカメラセンサーは長方形であるが、レンズは円形である。それゆえ、レンズの一部の画像フィールドを浪費し、高度の利用効果を達成することができない。図２及び３に示され、周知のように、円の内接長方形のうち、円の内接正方形６４５方の面積が最大である。しかし、正方形のセンサーもまた全画像フィールド適用の効果を達成することができない。全画像フィールド適用の効果を達成するには、センサーを６４５方の外接円にすべきである。もっと充分に全画像フィールドを利用するには、外接円の上に拡張し、６４５方の外接円の継続正方形を得て、該正方形の境界空白区域に対してデジタル補償で復元する。それによって、感知面積の利用率を達成する。本発明中では、デジタル補償復元は高次補間を利用して拡張し、かつ、色彩伝達理論でレンダリングして、空白区域のブラー・イメージングを達成する。
【００２４】
６４５型及び１３５型のカメラに対して、具体的なセンサーのイメージング面積データは表１に示される。
表１：６４５及び１３５とそれらの拡張したイメージング面積
【表１】
2016535952.tif 000003
結論として、本発明はセンサーの感知面積を大きく増加し、既存のカメラの撮影中に水平線を探し出す必要があるという問題を克服した。
【産業上の利用可能性】
【００２５】
当業者であれば知っているように、本発明はカメラやビデオカメラなどにだけでなく、その他のセンサーに基づいてイメージングするデジタル画像レコーダーにも応用できる。
【００２６】
以上挙げられた実施方式は本発明のいくつかの実施例を列挙するものであり、本発明の実施可能例のすべてではない。当業者にとって、本発明の原理及び精神に違反しない前提に基づいてするいかなる明らかな修正も、本発明の権利保護範囲に属するものと見なされるべきである。
【符号の説明】
【００２７】
１  センサー
２  ペンタプリズム
３  レフ板
４  光学式ファインダー
【図１】
2016535952.tif 000004
【図２】
2016535952.tif 000005
【図３】
2016535952.tif 000006
【国際調査報告】
2016535952.tif 000007
2016535952.tif 000008
2016535952.tif 000009
2016535952.tif 000010
2016535952.tif 000011
2016535952.tif 000012